(57)【要約】 【課題】  設営および撤収作業を簡単に行うことができ、強風時などの強い力が加わる状況においても支柱間のリンク部材の変形を防止できる折り畳み式テントのフレーム構造を提供することである。【解決手段】  周方向に並べられる少なくとも３本以上の支柱１１と、各支柱１１の一端部に角変位可能に連結され、各支柱と連結される端部と反対側の端部が相互に角変位可能に連結される複数のルーフバー１９と、周方向に隣接する２つの支柱を伸縮自在に各支柱の上部において連結する連結手段３０と、各ルーフバー１９と連結手段３０とを連結するサポートバー３５，３７とを含む折り畳み式テントのフレーム構造１による。【選択図】      図１
2005290837.tif 000002
【特許請求の範囲】
【請求項１】
周方向に並べられる少なくとも３本以上の支柱と、
各支柱の一端部に角変位可能に連結され、各支柱と連結される端部と反対側の端部が相互に角変位可能に連結される複数のルーフバーと、
周方向に隣接する２つの支柱を伸縮自在に各支柱の上部において連結する連結手段と、
各ルーフバーと連結手段とを連結するサポートバーとを含むことを特徴とする折り畳み式テントのフレーム構造。
【請求項２】
各サポートバーは、ルーフバーの軸線方向に変位自在に連結されることを特徴とする請求項１記載の折り畳み式テントのフレーム構造。
【請求項３】
連結手段はパンタグラフによって実現され、両端部が２つのリンク部材が異なる位置で支柱に連結される構造であり、２つのリンク部材のうち少なくともいずれか一方は、連結具によって支柱の軸線方向に変位自在に連結され、
連結具は、
リンク部材が支柱の予め定める位置に配置されたときに支柱に形成された位置決め孔に嵌り込み、位置決め孔に嵌り込む嵌合位置と位置決め孔から退避した退避位置とに変位自在な位置決め部材と、
位置決め部材に支柱に向かう方向の力を与えるばね部材と、
位置決め部材を嵌合位置への変位を許容する許容状態と、嵌合位置への変位を制して退避位置に保持する保持状態とを操作自在な操作部材とを含むことを特徴とする請求項１または２記載の折り畳み式テントのフレーム構造。
【請求項４】
前記支柱は伸縮可能な支柱であり、上支柱部材と下支柱部材によって実現され、下支柱部材は、上支柱部材の下部にある連結具によって支柱の軸線方向に変位自在に連結され、
連結具は、
上支柱部材が下支柱の予め定める位置に配置されたときに下支柱に形成された位置決め孔に嵌り込み、位置決め孔に嵌り込む嵌合位置と位置決め孔から退避した退避位置とに変位自在な位置決め部材と、
位置決め部材に支柱に向かう方向の力を与えるばね部材と、
位置決め部材を嵌合位置への変位を許容する許容状態と、嵌合位置への変位を制して退避位置に保持する保持状態とを操作自在な操作部材とを含むことを特徴とする請求項１〜３のいずれか１つに記載の折り畳み式テントのフレーム構造。
【発明の詳細な説明】
【技術分野】
【０００１】
本発明は、折り畳み式テントのフレーム構造に関する。
【背景技術】
【０００２】
折り畳み式テントは、大きな構造体であるテントを折り畳んで体積を少なくすることができるので、運搬および収納に便利である。さらに、折り畳み式テントの中には、設営および撤収作業を簡単に行える構造を有するものもある。このように折り畳み式テントは、優れた利点を多く有している。
【０００３】
設営および撤収作業を簡単に行える構造の折り畳み式テントでは、その構造のため、充分な強度を確保できず、テントが強い風を受けるとフレームが耐え切れなくなり変形するという問題を有していた。この問題を解決するための典型的な技術が特許文献１に記載されている。この技術は、横風が作用しても側面リンク部材が変形せず、幕側面部を地面と平行なフレーム部材に固定できる折り畳み式テントである。これは、支柱の上部に支柱間に架けられたフレームとこのフレームの下部に平行に架けられた下部のフレームをスライド可能にしたクロス材によって強度を増したものである。
【０００４】
【特許文献１】特開２００１−２５４５３５
【発明の開示】
【発明が解決しようとする課題】
【０００５】
設営および撤収作業を簡単に行える折り畳み式テントが要求されている。従来の構造では風に対して強度が充分でなく支柱間の伸縮自在に構成されたクロス材の変形が起こりやすいという課題を有していた。特許文献１に記載された技術においては、支柱と支柱を結ぶ面と同じ面に増強されたクロス材によって、支柱間に架けられたリンクフレームと平行な方向に対する強度が増す。
【０００６】
強風のため支柱間の伸縮自在に構成されたクロスするリンク部材に垂直な方向からも強い力が掛かることが多く、この方法では、クロスするリンク部材の変形を防ぐには不充分である。
【０００７】
本発明の目的は、設営および撤収作業を簡単に行うことができ、強風時などの強い力が加わる状況においても支柱間の伸縮自在に構成されたクロスするリンク部材などのフレームの変形を防止できる折り畳み式テントのフレーム構造を提供することである。
【課題を解決するための手段】
【０００８】
本発明は、周方向に並べられる少なくとも３本以上の支柱と、
各支柱の一端部に角変位可能に連結され、各支柱と連結される端部と反対側の端部が相互に角変位可能に連結される複数のルーフバーと、
周方向に隣接する２つの支柱を伸縮自在に各支柱の上部において連結する連結手段と、
各ルーフバーと連結手段とを連結するサポートバーとを含むことを特徴とする折り畳み式テントのフレーム構造である。
【０００９】
本発明に従えば、強風時などに強い力がテントに掛かった場合にも、連結手段に掛かった力が、連結手段とルーフバーを連結するサポートバーによって支えられ、テントのフレームの各所に分散される。さらに、たとえばサポートバーが撓むことによって強風などによるエネルギーを吸収することも期待できる。したがって、連結手段が変形することがない。
【００１０】
また本発明は、各サポートバーは、ルーフバーの軸線方向に変位自在に連結されることを特徴とする。
【００１１】
本発明に従えば、ルーフバーの軸線方向に変位自在に連結されることから、折り畳み時において、サポートバーが軸線方向に適宜変位するので、サポートバーをはずすことなく折り畳むことが可能となる。サポートバーを付け忘れたり、はずし忘れたりすることがない。さらに、たとえば、サポートバーをルーフバーの軸線方向に変位自在ではなく着脱可能に連結する場合に、サポートバーのはずし忘れによって生じる折り畳み時のフレームの変形が起こらず、はずし忘れられたサポートバーによりテントの天幕が傷付けられることがない。
【００１２】
また本発明は、連結手段はパンタグラフによって実現され、両端部が２つのリンク部材が異なる位置で支柱に連結される構造であり、２つのリンク部材のうち少なくともいずれか一方は、連結具によって支柱の軸線方向に変位自在に連結され、
連結具は、
リンク部材が支柱の予め定める位置に配置されたときに支柱に形成された位置決め孔に嵌り込み、位置決め孔に嵌り込む嵌合位置と位置決め孔から退避した退避位置とに変位自在な位置決め部材と、
位置決め部材に支柱に向かう方向の力を与えるばね部材と、
位置決め部材を嵌合位置への変位を許容する許容状態と、嵌合位置への変位を制して退避位置に保持する保持状態とを操作自在な操作部材とを含むことを特徴とする。
【００１３】
本発明に従えば、操作部材を操作することにより、位置決め部材を嵌合位置に変位させてばね部材により位置決め部材に支柱に向かう方向の力を与えて嵌合位置への変位を許容する許容状態にすることができる。許容状態になった場合には、位置決め部材は、リンク部材が支柱に予め定める位置に配置されたときに支柱に形成された位置決め孔に嵌り込むことができる。したがって、支柱と連結手段の２つのリンク部材のうち少なくともいずれか一方を、支柱の予め定める位置に固定することができるので、折り畳み式テントの展開を完了することができる。操作部材を操作することにより、位置決め部材を退避位置に変位させて、位置決め部材を保持する保持状態にすることができる。したがって、操作部材を操作することによって位置決め部材を保持状態にできるので、位置決め部材を人力により保持し続けなくて済む。したがって、設営または撤収が容易になる。また、位置決め部材によって支柱を傷付けることが少なくなる。
【００１４】
また本発明は、前記支柱は伸縮可能な支柱であり、上支柱部材と下支柱部材によって実現され、下支柱部材は、上支柱部材の下部にある連結具によって支柱の軸線方向に変位自在に連結され、
連結具は、
上支柱部材が下支柱の予め定める位置に配置されたときに下支柱に形成された位置決め孔に嵌り込み、位置決め孔に嵌り込む嵌合位置と位置決め孔から退避した退避位置とに変位自在な位置決め部材と、
位置決め部材に支柱に向かう方向の力を与えるばね部材と、
位置決め部材を嵌合位置への変位を許容する許容状態と、嵌合位置への変位を制して退避位置に保持する保持状態とを操作自在な操作部材とを含むことを特徴とする。
【００１５】
本発明に従えば、操作部材を操作することにより、位置決め部材を嵌合位置に変位させてばね部材により位置決め部材に支柱に向かう方向の力を与えて嵌合位置への変位を許容する許容状態にすることができる。許容状態になった場合には、位置決め部材は、上支柱部材が下支柱に予め定める位置に配置されたときに下支柱部材に形成された位置決め孔に嵌り込むことができる。したがって、上支柱部材は、上支柱部材の下部にある連結具によって、下支柱部材の予め定める位置に固定することができる。したがって、支柱の長さが伸縮可能になる。また、操作部材を操作することにより、位置決め部材を退避位置に変位させて、位置決め部材を保持する保持状態にすることができる。したがって、操作部材を操作することによって位置決め部材を保持状態にできるので、位置決め部材を人力により保持し続けなくて済む。したがって、設営または撤収が容易になる。また、位置決め部材によって支柱を傷付けることが少なくなる。
【発明の効果】
【００１６】
本発明によれば、強風時などに強い力がテントにかかった場合であっても、連結手段の変形を防ぐことができる。
【００１７】
本発明によれば、ルーフバーの軸線方向に変位自在に連結されることから、折り畳み時において、サポートバーが軸線方向に適宜変位するので、サポートバーをはずすことなく折り畳むことが可能となる。したがって、サポートバーを付け忘れたり、はずし忘れたりすることがない。さらに、たとえば、サポートバーをルーフバーの軸線方向に変位自在ではなく着脱可能に連結する場合に、サポートバーのはずし忘れによって生じる折り畳み時のフレームの変形が起こらず、はずし忘れられたサポートバーによりテントの天幕が傷付けられることがない。
【００１８】
本発明によれば、位置決め部材を人力により保持し続けなくて済む。したがって、設営または撤収が容易になる。また、位置決め部材の保持し忘れによって支柱を傷付けることが少なくなる。
【００１９】
本発明によれば、位置決め部材を人力により保持し続けなくて済む。したがって、設営または撤収が容易になる。また、位置決め部材の保持し忘れによって支柱を傷付けることが少なくなる。
【発明を実施するための最良の形態】
【００２０】
図１は、本実施の一形態の折り畳み式テントのフレーム構造１を示す斜視図である。図２は、本実施の一形態の折り畳み式テントのフレーム構造１の一部を示す拡大図である。本実施の形態は、４本の支柱１１と、４本のルーフバー１９と、支柱１１と支柱１１とを連結する連結手段３０と、連結手段３０とルーフバー１９を連結するサポートバー３５、３７と、支柱１１とルーフバー１９を連結する支柱ルーフバー間サポートバー３９とを含む折り畳み式テントのフレーム構造１である。
【００２１】
支柱１１、ルーフバー１９、連結手段３０、サポートバー３５、３７、支柱ルーフバー間サポートバーなどのフレーム部材の材質としては、特に限られないが、鉄、アルミニウムまたはそれらの合金を好適に用いることができる。軽量化のため中空の四角柱にするのが好適である。フレーム部材の先端部分を半円柱状に形成された樹脂からなる部材を取り付けることによって、折り畳み式テントを扱う者の怪我を防止することができる。
【００２２】
支柱１１は、正方形を形成する角部に４本並べられて立設される。本発明は、必ずしも、正方形を形成する角部でなくてもよく、長方形の角部に支柱１１を設けてもよい。また、必ず角に設けなければならない訳ではなく、支柱１１と支柱１１を結ぶ線分内に支柱１１を設けても良い。支柱１１は、３本以上あれば本発明を適用することができる。たとえば、支柱１１が５本であれば正５角形、支柱１１が６本であれば正６角形を形成する角部に支柱１１を立設することができる。
【００２３】
ルーフバー１９は、各支柱１１の一端部に角変位可能に連結され、各支柱１１と連結される端部と反対側の端部が相互に角変位可能に連結される。ルーフバー１９は、略同じ長さの第１ルーフ部材１７および第２ルーフ部材１８の２本のバーを含んで構成されており、２本のバーの端部は、ヒンジ構造の連結具であるストッパー３１によって連結される。図３は、折り畳み時のルーフバー１９を示す斜視図である。このような構成によって、折り畳み時にルーフバー１９の中間部が折れ曲がるので長いルーフバー１９であっても折り畳むことができるようになる。また、ヒンジ構造の連結具は同時に、連結手段３０とルーフバー１９を連結するサポートバー３０の動きを制止する役割を兼ねる。したがって部品点数を減らすことができるのでコスト削減になる。このルーフバー１９の一端部は、支柱１１の一端部にヒンジ構造の連結具であるフレーム連結具２１によって角変位可能に連結される。支柱１１に連結される端部と反対側の端部は、各ルーフバー１９と角変位可能に連結するヒンジ構造を有するルーフバー連結具２０によって連結される。このルーフバー連結具２０は、同時にテントの天幕４７の中心部を固定する役割をも果たしている。ルーフバー連結具２０の上に天幕を固定する天幕キャップ部材１１９が設けられ天幕を付けたまま折り畳むことができるので天幕をなくすことがない。
【００２４】
支柱ルーフバー間サポートバー３９によって、支柱１１の上部とルーフバー１９の支柱側からルーフバー１９全体の１／４程度の距離にある部分とを連結する。支柱１１の上部に支柱の軸方向に変位自在に設けられた支柱部スライダー部材１５に、支柱ルーフバー間サポートバー３９の一端部がヒンジで連結され、ルーフバー１９の支柱側からルーフバー１９全体の１／４程度の距離にある部分であるルーフストッパー４１に、支柱ルーフバー間サポートバー３９の他端部がヒンジで連結されている。この構造によって支柱１１およびルーフバー１９の強度を増すことができる。
【００２５】
連結手段３０は、周方向に隣接する２つの支柱１１を伸縮自在に各支柱１１の上部において連結する。連結手段３０は、Ｘ型にクロスするリンク部材を含むパンタグラフによって伸縮自在に実現される。第３リンク部材２５と第４リンク部材によってＸ型のクロス部材を構成している。第５リンク部材２７と第６リンク部材２８によってＸ型のクロス部材を構成している。第１リンク部材２３と第２リンク部材２４によってＸ型のクロス部材を構成している。本実施の形態においては、これらが組み合わさったＸＸＸ型のパンタグラフによって支柱１１間を連結する連結手段３０を実現している。このＸ型にクロスするリンク部材によって支柱１１間に平行に働く力に対して高い強度を持つ。Ｘ型にクロスするリンク部材の側方上端部が支柱１１の上端部に連結され、該リンク部材の側方下端部が支柱１１の上方にある連結具である支柱部スライダー部材１５によって支柱１１の軸線方向に変位自在に連結される。したがって、折り畳み時にそれぞれのＸ型のクロス部材がＩ型に近づくことから支柱１１間の距離が小さくなるのでコンパクトに収納可能になる。
【００２６】
より具体的には、第３リンク部材２５と第４リンク部材２６はそれぞれ中間部で交差しており、交差部分がピンで連結されてＸ型のクロス部材を構成している。第３リンク部材２５の一方の端部が支柱１１の上端部にフレーム連結具２１によって連結され、第４リンク部材２６の一方の端部が支柱１１の軸線方向に変位自在に取り付けられた支柱部スライダー部材１５によって連結されている。第５リンク部材２７と第６リンク部材２８はそれぞれ中間部で交差しており、交差部分がピンで連結されてＸ型のクロス部材を構成している。第４リンク部材２６の他方の端部が第６リンク部材２７の一方の端部とピンで連結されており、サポートバー連結部材４３が取り付けられている。第３リンク部材２５の他方の端部が第５リンク部材２７の一方の端部とピンで連結されている。第１リンク部材２３と第２リンク部材２４はそれぞれ中間部で交差しており、交差部分がピンで連結されてＸ型のクロス部材を構成している。第６リンク部材２８の他方の端部と第１リンク部材２３の一方の端部がピンで連結されており、サポートバー連結部材４３が取り付けられている。第５リンク部材２７の他方の端部が第２リンク部材２４の一方の端部とピンで連結されている。第１リンク部材２３の他方の端部が前記支柱１１とは隣り合う別の支柱１１の上端部にフレーム連結具２１によって連結され、第２リンク部材２４の他方の端部が前記支柱１１と隣り合う別の支柱１１の軸線方向に変位自在に取り付けられたスライダー部材１５によって連結されている。
【００２７】
図４は、サポートバー連結部材４３を示す拡大図である。図４は、ルーフ部スライダー部材３３を示す拡大図である。図５は、展開された折り畳み式テントのルーフ部スライダー部材３３を上方から見た上面図である。本実施の形態では、ルーフバー１９の中間部と支柱１１間に連結されたＸＸＸ型パンタグラフの中間にある菱型の上端部とがサポートバー３５，３７によって連結される。このパンタグラフ中の菱型の上端部には、サポートバー３５，３７の一端部と２本のリンク部材の上端部が連結されている。したがって、強風などによって連結手段３０であるＸＸＸ型パンタグラフに加わった力を支えて、様々な方向に分散させることが可能になるので連結手段３０であるＸＸＸ型パンタグラフが変形することがなくなる。また、ルーフバー１９に加わった力を各所に分散させることが可能なるのでルーフバー１９の変形を防ぐことができる。サポートバー３５，３７の両端部には球頭部９１を有するボールスタッド９０が設けられている。連結手段３０であるＸＸＸ型パンタグラフの中間の菱形上部には２つのリンク部材を、ワッシャ８５を介在させて連結するボルト８１とナット８３からなる軸を中心に回動自在であって、ボールスタッド９０の球頭部９１を受けるソケット部８７がＸ型にクロスするリンク部材がなす平面と平行にあり、一方のＸ型にクロスするリンク部材と平行な方向に開口部を有している連結ソケット８７が取り付けられている。
【００２８】
本実施の形態では、サポートバー３５，３７の他端部をルーフバー１９の軸線方向に変位自在に動くルーフ部スライダー部材３３と連結するルーフバー１９にあるルーフ部スライダー部材３３には、ボールスタッド９０の球頭部９１を受けるソケット部８７が形成されている。ルーフ部スライダー部材３３は、第１サポートバー３５と第２サポートバー３７の２つのサポートバーを対面において受ける。また、ルーフ部スライダー部材３３は、ルーフバー１９の軸線方向にあるルーフストッパー４１とストッパー３１によって、このルーフストッパー４１とストッパー３１の間以外のルーフバー１９の部分へ動くことが規制される。サポートバー３５，３７の両端部が前述の形状のボールスタッド９０とソケット部を含んでなるボールジョイントによって接続されており、ルーフバー１９への連結部分がスライド可能となっていることから、折り畳みおよび展開が容易になる。この構造により、折り畳み容易でかつフレーム構造の強度を増すことが可能となっている。本発明においては、サポートバー３５，３７とルーフバー１９の連結方法として、一端部または両端部をそれぞれいわゆるフックを用いてルーフバー１９にフックを受けるリングを設置することによって連結することもできる。サポートバー３５，３７の両端部をルーフバー１９にフックで連結する場合には、サポートバー３５，３７を着脱自在にすることができる。
【００２９】
図６は、折り畳んだ状態の折り畳み式テントのリンク部材とサポートバー３５，３７の連結状態を示す斜視図である。図７は、サポートバー連結部材４３を示す図である。図７（１）は、サポートバー連結部材４３を上面から見た上面図である。図７（２）は、サポートバー連結部材４３を正面から見た正面図である。図８は、折り畳んだ状態の折り畳み式テントのルーフバー１９とサポートバー３５，３７の連結状態を示す図である。図９は、サポートバー３５，３７を示す側面図である。
【００３０】
サポートバー連結部材４３は、ベース部１１１の一端部にソケット部８７を有し、ベース部１１１の他端部にリンク部材取り付け部１１５を有する。サポートバー連結部材４３のソケット部１１３は、略円柱状であり、円柱上面の円の直径上で円の端から円の直径の１／４の位置から円柱側面にかけて側面上部が広い幅で側面下部が狭い幅の溝部を有している。この溝部に、サポートバー３５，３７の両端に取り付けられた球有部９１と軸部８９を有するボールスタッド９０が折り畳み時に好ましく適合する。具体的には、ソケット部８７の円柱の直径Ｌ１は、２．７ｃｍであり、円柱の軸線方向の長さＬ７は、２．２ｃｍであり、円柱上面の溝部の幅Ｌ３は、１．４ｃｍであり、円柱状面の円の直径方向の溝部の長さＬ２は、１．９ｃｍであり、円柱側面上部の溝の幅Ｌ３は、１．４ｃｍであり、円柱側面下部の溝の幅Ｌ９は、１．０ｃｍであり、円柱側面の広い溝の円柱軸方向の長さＬ４は、１．０ｃｍであり、円柱側面の狭い溝の円柱軸方向の長さＬ５は、０．７ｃｍである。ベース部１１１の長手方向の長さＬ６は、３．８ｃｍであり、ベース部１１１の長手方向に垂直な幅Ｌ１０は、２．７ｃｍであり、ベース部１１１の広い面の他端部に垂直に立設されているリンク部材取り付け部１１５のベース部１１１の広い面と垂直方向の長さＬ８は、１．９ｃｍである。
【００３１】
ルーフ部スライダー部材３３についてもソケット部８７を含む。第２ルーフ部材１８のソケット部８７の円柱方向の上面で、ルーフバー１９の長手方向と平行であって円柱の上面の円の直径上であり、支柱方向に向かって開口部を有する溝がある。この溝部は円柱側面に繋がっており円柱側面部の溝部の下方は狭くなっている。ルーフ部スライダー部材３３のソケット部８７の具体的な寸法についてはサポートバー連結部材４３のソケット部８７の寸法と同じである。
【００３２】
サポートバー３５，３７の両端には、ボールスタッド９０を有する。ポールスタッド９０の軸部８９の中心軸線の延長線と球有部９１の中心は、ずれている。本実施の形態における球有部９１の球の直径は、１．５ｃｍである。本実施の形態で具体的には、ボールスタッド９０の軸部８９の中心軸線と球有部９１の球の中心とを垂直に結ぶ距離Ｌ１１は、０．７ｃｍである。また、両端のずれは、互いに逆方向にずれている。このずれによって、サポートバー３５，３７の端部とサポートバー連結部材４３とルーフ部スライダー部材３３の位置が良好になり折り畳み時に他のフレームに衝突しにくくなる。
【００３３】
ソケット部８７の円柱側面下部がボールスタッド９０の軸部８９を収めるのに適当な幅になっているので、ソケット部に開口された溝によるソケット部８７の強度の減少を減らすことができる。
【００３４】
サポートバー連結部材４３のリンク部材取り付け部１１５が、連結部３０のリンク部材と回動自在に取り付けられていることから、折り畳みを滑らかにすることができる。また、隣接するサポートバー連結部材４３同士は折り畳み時に近接することになるが、回転自在であるので、衝突しても破壊されない。
【００３５】
また、サポートバー連結部材４３のソケット部８７とリンク部材取り付け部１１５が離れており、サポートバー連結部材４３のソケット部８７の溝部の開口方向がベース部１１１の長手方向と垂直でありリンク部材の軸線方向で支柱に繋がる方向に向いており、ルーフ部スライダー部材３３のソケット部８７の溝の開口方向がルーフバー１９の長手方向と平行であって円柱の上面の円の直径上であり支柱方向に向いており、サポートバー３５，３７の両端のボールスタッド９０の軸部８９の軸線の延長線と球有部９１の中心が両端で互いに逆にずれている。サポートバー３５，３７は折り畳み時にサポートバー３５，３７の軸と垂直な方向で、長い長さの幅方向が支柱間の対角線上にあるルーフバーと略平行となっており、サポートバー３５，３７と他のフレーム部材が衝突することがなくコンパクトに収納することが可能になる。
【００３６】
サポートバー連結部材４３のソケット部８７の溝部の開口方向がベース部の長手方向と垂直でありリンク部材の軸線方向で支柱に繋がる方向に向いており、ルーフ部スライダー部材３３のソケット部８７の溝の開口方向がルーフバーの長手方向と平行であって円柱の上面の円の直径上であり支柱方向に向いておることから、展開時には溝がある部分とは別の部分でサポートバー３５，３７を支え、強風時などの強い力を受けるので、ソケット部８７の強度を充分に発揮できる。
【００３７】
サポートバー３５，３７は折り畳み時にサポートバー３５，３７の軸と垂直な方向で、長い長さの幅方向が支柱間の対角線上にあるルーフバー１９と略平行となっており、サポートバー３５，３７の端部において、ルーフバー１９に連結する対向面の裏面側がサポートバー連結部材４３に対抗する面になる。この配置のため、各ソケット部８７の溝部の開口方向が適切であるため、折り畳み時においてねじり方向の力を受けることなくサポートバー３５，３７の軸線を中心軸に回転することはない。
【００３８】
図１０は、本実施の形態の折り畳み式テントの支柱伸縮部１３のピン部が保持状態になった状態を示す図である。図１０（１）は、支柱伸縮部１３の正面図を示す。図１０（２）は、図１０（１）のＡ−Ａから見た支柱伸縮部１３の断面図を示す。図１１は、本実施の形態の折り畳み式テントの支柱伸縮部１３のピン部が支柱に形成された孔と嵌合状態になった状態を示す図である。図１１（１）は、支柱伸縮部１３の正面図を示す。図１１（２）は、図１１（１）のＢ−Ｂから見た支柱伸縮部１３の断面図を示す。前記支柱１１は伸縮可能な支柱１１であり、上支柱部材１０と下支柱部材８によって実現され、下支柱部材８は、上支柱部材１０の下部にある連結具である支柱伸縮部１３によって支柱１１の軸線方向に変位自在に連結される。下支柱部材８の下端に支柱下端部１２が設置されている。支柱下端部１２は、支柱１１が縮む場合に下支柱部材８の動きを規制する役割と、地面に接する面に２つのくい打ち用の穴が設けられていることから地面に折り畳み式テントを固定する役割を果たしている。連結具である支柱伸縮部１３は、位置決め部材と、ばね部材と、操作部材とを含む。
【００３９】
位置決め部材は、位置決め孔に嵌り込む嵌合位置と位置決め孔から退避した退避位置とに変位自在であって、上支柱部材１０が下支柱部材８の予め定める位置に配置されたときにばね部材による支柱に向かう方向の力によって下支柱部材８に形成された位置決め孔７１に嵌り込む。位置決め部材は、具体的には鉄などの硬い金属製のピン６３で実現される。位置決め部材に支柱１１に向かう方向の力を与えるばね部材は、コイルばね６５などで実現される。操作部材は、ピン６３などの位置決め部材を嵌合位置への変位を許容する許容状態と、嵌合位置への変位を制して退避位置に保持する保持状態とを操作自在にする。操作部材は、具体的には、リング６１によって実現される。ピン筒６７に深い溝と浅い溝を掘っておき、深い溝９５にリング６１が嵌ったときは、ピン６３は、コイルばねによって支柱に向かう方向の力を与えられ嵌合位置への変位を許容する許容状態になり、浅い溝９７にリング６１がはまったときは、ピン６３は、退避位置に保持される保持状態になる。
【００４０】
許容状態になった場合には、位置決め部材は、上支柱部材１０が下支柱部材８に予め定める位置に配置されたときに下支柱部材８に形成された位置決め孔に嵌り込むことができる。したがって、上支柱部材１０は、上支柱部材１０の下部にある連結具によって、下支柱部材８の予め定める位置に固定することができる。したがって、支柱の長さが伸縮可能になる。
【００４１】
保持状態になった場合には、人力でピンを退避位置に保持しつづける必要がなくなる。これらの機構は、具体的には、さらにピン６３とコイルばね６５を収納するピン筒６７およびピン筒６７を上支柱部材１０に固定するピンホルダー６９によって実現される。
【００４２】
同様に、連結手段３０であるＸＸＸ型パンタグラフの側方下端部を支柱１１の軸線方向に変位自在に連結する支柱部スライダー部材１５は、位置決め部材と、位置部材と、操作部材とを含む。前述のピン保持機構と同様の仕組みによりピン６３を退避位置に保持する保持状態を実現する。
【００４３】
位置決め部材は、位置決め孔に嵌り込む嵌合位置と位置決め孔から退避した退避位置とに変位自在であって、支柱部スライダー部材１５が支柱１１の予め定める位置に配置されたときにばね部材による支柱１１に向かう方向の力によって支柱１１に形成された位置決め孔７１に嵌り込む。位置決め部材は、具体的には鉄などの硬い金属製のピン６３で実現される。位置決め部材に支柱１１に向かう方向の力を与えるばね部材は、コイルばね６５などで実現される。操作部材は、ピン６３などの位置決め部材を嵌合位置への変位を許容する許容状態と、嵌合位置への変位を制して退避位置に保持する保持状態とを操作自在にする。操作部材は、具体的には、リング６１によって実現される。ピン筒６７に深い溝と浅い溝を掘っておき、深い溝９５にリング６１が嵌ったときは、ピン６３は、コイルばね６５によって支柱に向かう方向の力を与えられ、嵌合位置への変位を許容する許容状態になり、浅い溝９７にリング６１がはまったときは、ピン６３は、退避位置に保持される保持状態になる。
【００４４】
許容状態になった場合には、ピン６３は、コイルばね６５によって支柱１１方向への力を与えられ、支柱部スライダー部材１５が支柱に予め定める位置に配置されたときに支柱１１に形成された位置決め孔に嵌り込むことができる。したがって、支柱１１と支柱部スライダー部材１５を、支柱１１の予め定める位置に固定することができるので、折り畳み式テントの展開を完了することができる。
【００４５】
保持状態になった場合には、人力でピンを退避位置に保持しつづける必要がなくなる。これらの機構は、具体的には、さらにピン６３とコイルばね６５を収納するピン筒６７およびピン筒６７を上支柱部材１０に固定するピンホルダー６９によって実現される。
【００４６】
また、ピン６３の先端は半球状になっているので、ピン６３が許容状態で支柱部スライダー部材１５が支柱に予め定める位置に若干ずれた場合でも支柱の傷付きが少なく良好に嵌合位置に導くことができる。
【００４７】
さらに、操作部材がリング６１であるので操作する際に指の出し入れを容易にすることができ、この操作部材が保持状態にする部材を兼ねているので部品点数を削減でき、コストを削減することができる。
【００４８】
図１２は、折り畳み式テントを折り畳んでいる途中の状態を示す図である。図１３は、折り畳み式テントを折り畳んだ状態を示す正面図である。ルーフバー１９は中間部を下方向に移動して２つ折りにされる。支柱ルーフバー間サポートバー３９は支柱１１と連結している端部がスライドし、ルーフバー１９に連結している端部はヒンジによって回動して折り畳まれる。サポートバー３５，３７は、連結手段３０のリンク部材に連結する端部は、サポートバー連結部材４３が回動しながらボールジョイントによって自在に動き、ルーフバー１９に連結する端部は、ルーフ部スライダー部材３３がスライドしながらボールジョイントによって自在に動いて折り畳まれる。折り畳み状態においては、非常にコンパクトになる。
【００４９】
図１４は、本実施の形態の折り畳み式テントの天幕４７を張った状態を示す斜視図である。通常は、天幕４７を張った状態で使用する。天幕４７とテントのフレームとは面ファスナーによって固定する。
【００５０】
図１５は、図１４の折り畳み式テントにサイドウォール４９を取り付けた状態を示す斜視図である。サイドウォール４９とテントのフレームとは面ファスナーによって固定する。サイドウォール４９を取り付けると横風の影響を受けやすい。本発明を適用した折り畳み式テントにおいては、横風を受けても、強度が強いので連結手段３０のリンク部材およびルーフバー１９などのフレームが曲がることなく使用することができる。
【図面の簡単な説明】
【００５１】
【図１】本実施の形態の折り畳み式テントのフレーム構造１を示す斜視図である。
【図２】本実施の形態の折り畳み式テントのフレーム構造１の一部を示す拡大図である。
【図３】折り畳み時のルーフバー１９を示す斜視図である。
【図４】サポートバー連結部材４３を示す拡大図である。
【図５】ルーフ部スライダー部材３３を示す拡大図である。
【図６】折り畳んだ状態の折り畳み式テントのリンク部材とサポートバー３５，３７の連結状態を示す斜視図である。
【図７】サポートバー連結部材４３を示す図である。
【図８】折り畳んだ状態の折り畳み式テントのルーフバー１９とサポートバー３５，３７の連結状態を示す図である。
【図９】サポートバー３５，３７を示す側面図である。
【図１０】本実施の形態の折り畳み式テントの支柱伸縮部１３のピン部が保持状態になった状態を示す図である。
【図１１】本実施の形態の折り畳み式テントの支柱伸縮部１３のピン部が支柱に形成された孔と嵌合状態になった状態を示す図である。
【図１２】折り畳み式テントを折り畳んでいる途中の状態を示す図である。
【図１３】折り畳み式テントを折り畳んだ状態を示す正面図である。
【図１４】本実施の形態の折り畳み式テントの天幕４７を張った状態を示す斜視図である。
【図１５】図１４の折り畳み式テントにサイドウォール４９を取り付けた状態を示す斜視図である。
【符号の説明】
【００５２】
１  折り畳み式テントのフレーム構造
８  下支柱部材
１０  上支柱部材
１１  支柱
１２  支柱下端部
１３  支柱伸縮部
１５  支柱部スライダー部材
１７  第１ルーフ部材
１８  第２ルーフ部材
１９  ルーフバー
２１  フレーム連結具
２３  第１リンク部材
２４  第２リンク部材
２５  第３リンク部材
２６  第４リンク部材
２７  第５リンク部材
２８  第６リンク部材
３０  連結手段
３１  ストッパー
３３  ルーフ部スライダー部材
３５  第１サポートバー
３７  第２サポートバー
３９  支柱ルーフバー間サポートバー
４１  ルーフストッパー
４３  サポートバー連結部材
４５  スライダー部ジョイント部材
４７  天幕
４９  サイドウォール
６１  リング
６３  ピン
６５  コイルばね
６７  ピン受け
６９  ピンホルダー
７５  ピンホルダー孔
７７  下支柱孔
７９  上支柱孔
８１  ボルト
８３  ナット
８５  ワッシャ
８７  ソケット部
８９  軸部
９０  ボールスタッド
９１  球頭部
９５  深い溝
９７  浅い溝
１１１  ベース部
１１５  リンク部材取り付け部
１１９  天幕キャップ部材
【図１】
2005290837.tif 000003
【図２】
2005290837.tif 000004
【図３】
2005290837.tif 000005
【図４】
2005290837.tif 000006
【図５】
2005290837.tif 000007
【図６】
2005290837.tif 000008
【図７】
2005290837.tif 000009
【図８】
2005290837.tif 000010
【図９】
2005290837.tif 000011
【図１０】
2005290837.tif 000012
【図１１】
2005290837.tif 000013
【図１２】
2005290837.tif 000014
【図１３】
2005290837.tif 000015
【図１４】
2005290837.tif 000016
【図１５】
2005290837.tif 000017